(57)【特許請求の範囲】
【請求項１】
少なくとも両側壁部、頂版部及び底版部を有する地下構造物の構築方法であって、
前記両側壁部の構築部位に、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込み、これらプレキャストコンクリート側壁間の頂版を構築する位置までの地盤を掘削除去した後、前記プレキャストコンクリート側壁間の上部側面であって、前記インサート金具又は鋼材の埋設部を避けたその下部側にコンクリートを打設するとともに、前記プレキャストコンクリート側壁との結合及び一体化を図り、本体構造となる頂版部を先行的に構築したならば、前記仮設鋼材を固定するインサート金具又は鋼材とのボルト定着又は添設接合を解除して、埋戻しながら前記仮設鋼材を引き抜いて撤去し、地上占有を開放する第１工程と、
前記プレキャストコンクリート側壁及び頂版部によって囲まれた頂版部以深の地盤を掘削し、最終的に底版部の構築深さまでの掘削を行う第２工程と、
前記プレキャストコンクリート側壁間であって、底版部構築部位にコンクリートを打設するとともに、前記プレキャストコンクリート側壁との結合及び一体化を図り、本体構造となる底版部を構築する第３工程と、からなることを特徴とする地下構造物の構築方法。
【請求項２】
両側壁部、両側壁間の中間壁又は中間柱、頂版部及び底版部を有する地下構造物の構築方法であって、
前記両側壁部、両側壁間の中間壁又は中間柱によって仕切られる各スパンを順に、側壁の構築部位には、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込むとともに、中間壁又は中間柱の構築部位には、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート中間壁又は中間柱を地中に建込み、これらスパン間のプレキャストコンクリート側壁間の頂版を構築する位置までの地盤を掘削除去した後、前記プレキャストコンクリート側壁間の上部側面であって、前記インサート金具又は鋼材の埋設部を避けたその下部側にコンクリートを打設するとともに、前記プレキャストコンクリート側壁との結合及び一体化を図り、本体構造となる頂版部を先行的に構築したならば、前記仮設鋼材を固定するインサート金具又は鋼材とのボルト定着又は添設接合を解除して、埋戻しながら前記仮設鋼材を引き抜いて撤去し、地上占有を開放する第１工程と、
前記プレキャストコンクリート側壁及び頂版部によって囲まれた頂版部以深の地盤を掘削し、最終的に底版部の構築深さまでの掘削を行う第２工程と、
前記プレキャストコンクリート側壁間であって、底版部構築部位にコンクリートを打設するとともに、前記プレキャストコンクリート側壁との結合及び一体化を図り、本体構造となる底版部を構築する第３工程と、からなることを特徴とする地下構造物の構築方法。
【請求項３】
前記プレキャストコンクリート側壁及び／又はプレキャストコンクリート中間壁又は中間柱は、下端面より所定深さに亘ってインサート金具又は鋼材を埋設した埋設部が形成されるとともに、鉛直支持力及び土水圧などの側方抵抗のために前記下端面から下方側に突出するように複数本の鋼杭を着脱可能に備え、
前記第３工程において、下端面側の前記インサート金具又は鋼材の埋設部を避けたその上部側にコンクリートを打設し底版部を構築する請求項１、２いずれかに記載の地下構造物の構築方法。
【請求項４】
前記頂版部の構築に当たり、予めプレキャストコンクリート側壁の上部側面であって、前記インサート金具又は鋼材の埋設部を避けたその下部側位置に側壁部主鉄筋を配筋し、その先端部に機械式継手を設けておき、この機械式継手に対し頂版部主鉄筋の先端部に取り付けた機械式継手を接合して頂版部の配筋を行った後、型枠を配設し、コンクリートを打設する請求項１〜３いずれかに記載の地下構造部の構築方法。
【請求項５】
少なくとも両側壁部及び底版部を有する地下構造物の構築方法であって、
前記両側壁部の構築部位に、下端面より所定深さに亘ってインサート金具又は鋼材を埋設した埋設部が形成されるとともに、鉛直支持力及び土水圧などの側方抵抗のために前記下端面から下方側に突出するように複数本の鋼杭が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込む第１工程と、
前記プレキャストコンクリート側壁によって囲まれた地盤を掘削し、最終的に底版部の構築深さまでの掘削を行う第２工程と、
前記プレキャストコンクリート側壁間であって、前記インサート金具又は鋼材の埋込部を避けた上部側位置にコンクリートを打設するとともに、前記プレキャストコンクリート側壁との結合及び一体化を図り、本体構造となる底版部を構築する第３工程と、からなることを特徴とする地下構造物の構築方法。
【請求項６】
相隣接する前記プレキャストコンクリート側壁の対向側面において、一方のプレキャストコンクリート側壁の側面に埋設された一方側接合金具と、他方のプレキャストコンクリート側壁の側面に埋設された他方側接合金具との係合によって周囲から締め切られた空間を形成し、この締切り空間内において、プレキャストコンクリート側壁に部材長手方向に沿って対向する凹状溝を形成するとともに、これら凹状溝間に跨って止水板を挿入設置し、前記締切り空間内にグラウト材を充填してある請求項１〜５いずれかに記載の地下構造物の構築方法。
【請求項７】
前記プレキャストコンクリート側壁及び／又はプレキャストコンクリート中間壁又は中間柱は、少なくとも内壁面側に対して、フィルムを貼設又は剥離剤を塗布してある請求項１〜６いずれかに記載の地下構造物の構築方法。
【請求項８】
上端面より所定深さに亘ってインサート金具又は鋼材を埋設した上部側埋設部が形成されるとともに、頂版構築までの間、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられ、且つ下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭が着脱可能に備えられたプレキャストコンクリート側壁と、前記プレキャストコンクリート側壁間の上部側面であって、前記インサート金具又は鋼材の上部側埋設部を避けたその下部側に現場打設コンクリートによって構築された頂版部と、前記プレキャストコンクリート側壁間の下部側であって、前記インサート金具又は鋼材の下部側埋設部を避けたその上部側に現場打設コンクリートによって構築された床版部とからなることを特徴とする地下構造物。
【請求項９】
下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を前記埋設されたインサート金具に対しベースプレートを介したボルト定着、或いは埋設された鋼材に対し添接板を介した添接接合により着脱可能に備えるプレキャストコンクリート側壁と、前記プレキャストコンクリート側壁間の下部側であって、前記インサート金具又は鋼材の下部側埋設部を避けたその上部側に現場打設コンクリートによって構築された床版部とからなることを特徴とする地下構造物。
【請求項１０】
相隣接する前記プレキャストコンクリート側壁の対向側面において、一方のプレキャストコンクリート側壁の側面に埋設された一方側接合金具と、他方のプレキャストコンクリート側壁の側面に埋設された他方側接合金具との係合によって周囲から締め切られた空間が形成され、この締切り空間内において、プレキャストコンクリート側壁に部材長手方向に沿って対向する凹状溝が形成されるとともに、これら凹状溝間に跨って止水板が挿入設置され、前記締切り空間内にグラウト材が充填されている請求項８，９いずれかに記載の地下構造物。
【請求項１１】
下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を着脱可能に備え、且つ上端面より所定深さに亘ってインサート金具又は鋼材を埋設した上部側埋設部が形成されるとともに、土水圧などの側方抵抗のために前記上端面から上方側に突出するように複数本の仮設鋼材を前記埋設されたインサート金具に対しベースプレートを介したボルト定着、或いは埋設された鋼材に対し添接板を介した添接接合により着脱可能に備えた側壁、中間壁又は中間柱を形成することを特徴とするプレキャストコンクリート部材。
【請求項１２】
下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を前記埋設されたインサート金具に対しベースプレートを介したボルト定着、或いは埋設された鋼材に対し添接板を介した添接接合により着脱可能に備えた側壁、中間壁又は中間柱を形成することを特徴とするプレキャストコンクリート部材。
【発明の詳細な説明】
【技術分野】
【０００１】
本発明は、半地下道路トンネル、地下駐車場、駐輪場、共同溝、地下鉄、地下道などの地下構造物の構築方法等に関する。
【背景技術】
【０００２】
出願人は、下記特許文献１にて、土被りの浅い浅層地盤に構築される地下構造物の構築方法等の提案を行った。具体的には、少なくとも両側壁部、頂版部及び底版部を有する地下構造物の構築方法であって、少なくとも前記両側壁部の構築部位に、本体構造となるプレキャストコンクリート側壁を地中に建込み、これらプレキャストコンクリート側壁間の浅層地盤を掘削除去した後、前記プレキャストコンクリート側壁間に本体構造となるプレキャストコンクリート頂版を架け渡し、埋め戻すことにより頂版部以浅部分を先行的に完成させる第１工程と、前記プレキャストコンクリート側壁及びプレキャストコンクリート頂版によって囲まれた頂版部以深の地盤を掘削し、最終的に底版部の構築深さまでの掘削を行う第２工程と、底版部構築部位にコンクリートを打設するとともに、前記プレキャストコンクリート側壁との結合及び一体化を図る第３工程と、からなる地下構造物の構築方法である。
【０００３】
かかる地下構造物の構築方法によれば、工事の最初の段階で地下構造物の頂版部分を形成することにより、工事に伴う地上占用規模及び期間が最小化でき、周辺環境への影響を必要最小限度に抑制することができるなどの効果が発揮されるようになる。
【先行技術文献】
【特許文献】
【０００４】
【特許文献１】特開２００６−１３２２１９号公報
【発明の概要】
【発明が解決しようとする課題】
【０００５】
一方、土被りが大きい場合には、頂版部以浅部分の掘削に当たって、プレキャストコンクリート側壁の外側に土留め壁を仮設する必要があり、具体的には図３０及び図３１に示されるように、(1)掘削重機による掘削・プレキャストコンクリート側壁５１の建込み、(2)外側土留め壁５２の施工、(3)外側土留め壁５２、５２間の掘削、(4)プレキャストコンクリート頂版５３の設置・プレキャストコンクリート側壁５１、５１との接合、(5)埋戻し、(6)内部掘削、(7)底版の構築、の順序で施工されていた。
【０００６】
しかしながら、このような従来の地下構造物の施工方法では、実用上、以下の点が問題となっていた。
(1)プレキャストコンクリート側壁５１、５１間にプレキャストコンクリート頂版５３を架け渡す際、図３２に示されるように、プレキャストコンクリート頂版５３の接合端面から下方に突出させた鉄筋５４、５４を、プレキャストコンクリート側壁５１の上面に埋設されたスリーブ５５、５５内に挿入後にスリーブ内にモルタルを充填・固化して接合する方式が一般的であるが、かかる方式では、前記鉄筋５４とスリーブ５５との位置合わせのため、前記プレキャストコンクリート側壁５１の建込み精度（例えば±１０mm以内）が求められ、土被りが大きい程その精度確保が困難となる。
(2)土被りが大きくなると、プレキャストコンクリート側壁５１の外側に土留め壁５２、５２を構築する必要があり、工事に伴う地上占用規模が大きくなるとともに、工期及び工費が増加する。
(3)上記(2)の課題解決のため、プレキャストコンクリート側壁の上端面側に予め仮設鋼材を取り付けておくことが考えられるが、プレキャストコンクリート側壁の下端面側に取り付けられた鋼杭も含めるとプレキャストコンクリート側壁の全長が長くなるためトラックまたはトレーラー輸送が困難となるとともに、現場作業が煩雑となる。
(4)上記(3)のようにプレキャストコンクリート側壁の上端面側に予め仮設鋼材を取り付けておくと、前記仮設鋼材の存在により、プレキャストコンクリート頂版の設置が困難となる。
(5)上記特許文献１記載の発明では、プレキャストコンクリート側壁の上端面より上方側に突出する仮設鋼材をプレキャストコンクリート頂版の架設後に、頂版より上方に突出した仮設鋼材部分をガス切断等により撤去する作業が行われるが、プレキャストコンクリート側壁の埋め込まれた仮設鋼材用定着部が、地下構造物本体に影響し、地下構造物の構造強度が低下するおそれがある。
【０００７】
そこで本発明の主たる課題は、土被りが大きい地下構造物において、側壁の建込み誤差を吸収できるようにするとともに、工事に伴う地上占用規模及び期間を最小化し、周辺環境への影響を必要最小限度に抑制し、輸送及び現場作業を容易化し、構造強度の確保を図ることにある。
【課題を解決するための手段】
【０００８】
上記課題を解決するために請求項１に係る本発明として、少なくとも両側壁部、頂版部及び底版部を有する地下構造物の構築方法であって、
前記両側壁部の構築部位に、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込み、これらプレキャストコンクリート側壁間の頂版を構築する位置までの地盤を掘削除去した後、前記プレキャストコンクリート側壁間の上部側面であって、前記インサート金具又は鋼材の埋設部を避けたその下部側にコンクリートを打設するとともに、前記プレキャストコンクリート側壁との結合及び一体化を図り、本体構造となる頂版部を先行的に構築したならば、前記仮設鋼材を固定するインサート金具又は鋼材とのボルト定着又は添設接合を解除して、埋戻しながら前記仮設鋼材を引き抜いて撤去し、地上占有を開放する第１工程と、
前記プレキャストコンクリート側壁及び頂版部によって囲まれた頂版部以深の地盤を掘削し、最終的に底版部の構築深さまでの掘削を行う第２工程と、
前記プレキャストコンクリート側壁間であって、底版部構築部位にコンクリートを打設するとともに、前記プレキャストコンクリート側壁との結合及び一体化を図り、本体構造となる底版部を構築する第３工程と、からなることを特徴とする地下構造物の構築方法が提供される。
【０００９】
上記請求項１記載の発明では、プレキャストコンクリート側壁間の頂版を構築する位置までの地盤を掘削除去した後、前記プレキャストコンクリート側壁間の上部側面であって、前記インサート金具又は鋼材の埋設部を避けたその下部側にコンクリートを打設するとともに、前記プレキャストコンクリート側壁との結合及び一体化を図り、本体構造となる頂版部が構築されるため、従来（図３２参照）のように頂版５３から突出させた鉄筋５４と側壁５１の上端面に埋設したスリーブ５５とを位置合わせする必要が無くなり、土被りが大きい地下構造物においても、側壁の建込み誤差を吸収できるようになる。
【００１０】
また、工事の最初の段階で、プレキャストコンクリート側壁間に本体構造となる頂版部を先行的に完成させるため、工事に伴う地上占用規模及び期間を最小化でき、周辺環境への影響を必要最小限度に抑制することが可能となる。
【００１１】
さらに、上端面より所定深さに亘ってインサート金具又は鋼材を埋設した埋設部が形成されるとともに、土水圧などの側方抵抗のために上方側に突出するように複数本の仮設鋼材が前記埋設されたインサート金具に対しベースプレートを介したボルト定着、或いは埋設された鋼材に対し添接板を介した添接接合により着脱可能に備えられたプレキャストコンクリート側壁を地中に建込み、工事中はこれを土留め壁とし、プレキャストコンクリート側壁を工事完成後は本体構造として利用する。従って、施工時占用幅が増大することがなく、本体構造内の占用で施工が完了する。また、プレキャストコンクリート構造であるため、頂版部を支持する際に必要となる耐力を十分に有することができる。
【００１２】
さらに、前記仮設鋼材は、前記埋設されたインサート金具に対しベースプレートを介したボルト定着、或いは埋設された鋼材に対し添接板を介した添接接合によりプレキャストコンクリート側壁に着脱可能に備えられているため、それぞれ分割してトラックまたはトレーラー輸送が可能となり、輸送が容易化できるとともに、現場作業が容易化できる。また、前記プレキャストコンクリート側壁間にコンクリートを打設するとともに、前記プレキャストコンクリート側壁との結合及び一体化を図ることにより、本体構造となる頂版部が構築されているため、頂版部の構築に当たってプレキャストコンクリート側壁の上端面より突出する仮設鋼材に影響を受けず、頂版部の構築が容易にできる。
【００１３】
加えて、前記頂版部は、設計上、本体構造部分として考慮されないプレキャストコンクリート側壁のインサート金具埋設部を避けたその下部側に構築されているため、インサート金具埋設部が地下構造物の本体に影響を与えることがなく地下構造物の構造強度を十分に確保することができる他、インサート金具等に干渉することなく本体構造物の配筋を容易に行うことができる。
【００１４】
請求項２に係る本発明として、両側壁部、両側壁間の中間壁又は中間柱、頂版部及び底版部を有する地下構造物の構築方法であって、
前記両側壁部、両側壁間の中間壁又は中間柱によって仕切られる各スパンを順に、側壁の構築部位には、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込むとともに、中間壁又は中間柱の構築部位には、上端面より所定深さに亘ってインサート金具又は鋼材を埋設した埋設部が形成されるとともに、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられた、本体構造となるプレキャストコンクリート中間壁又は中間柱を地中に建込み、これらスパン間のプレキャストコンクリート側壁間の頂版を構築する位置までの地盤を掘削除去した後、前記プレキャストコンクリート側壁間の上部側面であって、前記インサート金具又は鋼材の埋設部を避けたその下部側にコンクリートを打設するとともに、前記プレキャストコンクリート側壁との結合及び一体化を図り、本体構造となる頂版部を先行的に構築したならば、前記仮設鋼材を固定するインサート金具又は鋼材とのボルト定着又は添設接合を解除して、埋戻しながら前記仮設鋼材を引き抜いて撤去し、地上占有を開放する第１工程と、
前記プレキャストコンクリート側壁及び頂版部によって囲まれた頂版部以深の地盤を掘削し、最終的に底版部の構築深さまでの掘削を行う第２工程と、
前記プレキャストコンクリート側壁間であって、底版部構築部位にコンクリートを打設するとともに、前記プレキャストコンクリート側壁との結合及び一体化を図り、本体構造となる底版部を構築する第３工程と、からなることを特徴とする地下構造物の構築方法が提供される。
【００１５】
上記請求項２記載の発明は、側壁間に中間壁又は中間柱を有する地下構造物の場合の構築方法である。側壁間に中間壁又は中間柱を有する場合には、側壁間の頂版を構築する位置までの地盤をすべて掘削した後、頂版を構築することも可能であるが、この場合は、掘削規模が大きくなり、地上占用期間が長期化することになる。従って、両側壁部、両側壁間の中間壁又は中間柱によって仕切られる各スパンを順に、プレキャストコンクリート部材の建込み、頂版構築位置までの地盤の掘削、頂版の構築、埋戻しによる頂版部以浅部分の先行的完成の手順で施工することにより、地上占用期間を短縮化できるようになる。
【００１６】
請求項３に係る本発明として、前記プレキャストコンクリート側壁及び／又はプレキャストコンクリート中間壁又は中間柱は、下端面より所定深さに亘ってインサート金具又は鋼材を埋設した埋設部が形成されるとともに、鉛直支持力及び土水圧などの側方抵抗のために前記下端面から下方側に突出するように複数本の鋼杭を着脱可能に備え、
前記第３工程において、下端面側の前記インサート金具又は鋼材の埋設部を避けたその上部側にコンクリートを打設し底版部を構築する請求項１、２いずれかに記載の地下構造物の構築方法が提供される。
【００１７】
上記請求項３記載の本発明においては、前記プレキャストコンクリート側壁及び／又はプレキャストコンクリート中間壁又は中間柱に対して、鉛直支持力及び土水圧などの側方抵抗のために、下端面より下方側に突出するように複数本の鋼杭を設けるようにしたものである。全根入れ長をプレキャストコンクリート部材とすることも可能であるが、この場合は建込み溝の掘削深さが深くなるばかりでなく、プレキャスト部材費が増し、工期の長期化と施工手間、工費が増す原因となる。従って、下端に複数本の鋼杭を設けることにより、建込み溝を浅くでき、かつこれら鋼杭によって十分な鉛直支持力及び土水圧などの側方抵抗力を確保することができる。
【００１８】
加えて、底版部は、設計上、本体構造部分として考慮されないプレキャストコンクリート側壁のインサート金具埋設部を避けたその上部側に構築されているため、インサート金具埋設部が地下構造物の本体に影響を与えることがなく、地下構造物の構造強度を十分に確保することができる。
【００１９】
請求項４に係る本発明として、前記頂版部の構築に当たり、予めプレキャストコンクリート側壁の上部側面であって、前記インサート金具又は鋼材の埋設部を避けたその下部側位置に側壁部主鉄筋を配筋し、その先端部に機械式継手を設けておき、この機械式継手に対し頂版部主鉄筋の先端部に取り付けた機械式継手を接合して頂版部の配筋を行った後、型枠を配設し、コンクリートを打設する請求項１〜３いずれかに記載の地下構造部の構築方法が提供される。
【００２０】
請求項５に係る本発明として、少なくとも両側壁部及び底版部を有する地下構造物の構築方法であって、
前記両側壁部の構築部位に、下端面より所定深さに亘ってインサート金具又は鋼材を埋設した埋設部が形成されるとともに、鉛直支持力及び土水圧などの側方抵抗のために前記下端面から下方側に突出するように複数本の鋼杭が前記埋設されたインサート金具に対しベースプレートを介したボルト定着、或いは埋設された鋼材に対し添接板を介した添接接合により着脱可能に備えられた、本体構造となるプレキャストコンクリート側壁を地中に建込む第１工程と、
前記プレキャストコンクリート側壁によって囲まれた地盤を掘削し、最終的に底版部の構築深さまでの掘削を行う第２工程と、
前記プレキャストコンクリート側壁間であって、前記インサート金具又は鋼材の埋込部を避けた上部側位置にコンクリートを打設するとともに、前記プレキャストコンクリート側壁との結合及び一体化を図り、本体構造となる底版部を構築する第３工程と、からなることを特徴とする地下構造物の構築方法が提供される。
【００２１】
上記請求項５記載の発明は、第３形態例に係る地下構造物の構築方法であり、頂版部を有さないＵ型擁壁構造について規定したものである。このような構造の地下構造物では、地下構造物の本体強度確保のため、底版をインサート金具又は鋼材の埋設部を避けた上部側位置に構築するようにする。
【００２２】
請求項６に係る本発明として、相隣接する前記プレキャストコンクリート側壁の対向側面において、一方のプレキャストコンクリート側壁の側面に埋設された一方側接合金具と、他方のプレキャストコンクリート側壁の側面に埋設された他方側接合金具との係合によって周囲から締め切られた空間を形成し、この締切り空間内において、プレキャストコンクリート側壁に部材長手方向に沿って対向する凹状溝を形成するとともに、これら凹状溝間に跨って止水板を挿入設置し、前記締切り空間内にグラウト材を充填してある請求項１〜５いずれかに記載の地下構造物の構築方法が提供される。
【００２３】
上記請求項６記載の発明では、相隣接するプレキャストコンクリート側壁の対向側面において、一方のプレキャストコンクリート側壁の側面に埋設された一方側接合金具と、他方のプレキャストコンクリート側壁の側面に埋設された他方側接合金具との係合によって周囲から締め切られた空間が形成される。そして、この締切り空間内において、プレキャストコンクリート側壁に部材長手方向に沿って対向する凹状溝が形成されるとともに、これら凹状溝間に跨って止水板が挿入設置され、前記締切り空間内にグラウト材が充填されている。
【００２４】
従って、前記一方側接合金具と他方側接合金具との係合によって、プレキャストコンクリート側壁同士の係合力が大幅に改善され、外力に対して一体的に抵抗する強いプレキャストコンクリート側壁の止水構造とすることができるとともに、建込み精度を確保することができる。
【００２５】
また、グラウト充填部が前記一方側接合金具と他方側接合金具との係合によって周囲から締め切られた空間となっているため、周囲からの掘削土や掘削安定液等の浸入を防止し、十分な洗浄を可能とするため、土等の付着を無くし、グラウト材とプレキャストコンクリート側壁との付着性と一体性とを確保することが可能となる。
【００２６】
更に、グラウト材が凹状溝内に充填されるとともに、凹状溝間に跨って挿入設置された止水板によって、グラウト材にクラック等が入っても止水板によって確実な止水を確保でき、供用後の止水効果を高めることが可能となる。
【００２７】
請求項７に係る本発明として、前記プレキャストコンクリート側壁及び／又はプレキャストコンクリート中間壁又は中間柱は、少なくとも内壁面側に対して、フィルムを貼設又は剥離剤を塗布してある請求項１〜６いずれかに記載の地下構造物の構築方法が提供される。
【００２８】
上記請求項７記載の発明においては、プレキャストコンクリート側壁及び／又はプレキャストコンクリート中間壁又は中間柱の少なくとも内壁面側に対して、フィルムを貼設したり、或いは剥離剤を塗布しておくものである。施工時に前記プレキャストコンクリート部材の表面には、泥水やソイルセメントが付着し汚れるため、工事完成後に前記フィルムを剥がすことにより、或いは剥離材を塗布しておき簡単に洗い流しできるようにしておくことにより、内壁面側を簡単に綺麗に仕上げできるようになる。
【００２９】
請求項８に係る本発明として、上端面より所定深さに亘ってインサート金具又は鋼材を埋設した上部側埋設部が形成されるとともに、頂版構築までの間、土水圧などの側方抵抗のために前記上端面から上方側に突出するように複数本の仮設鋼材が前記埋設されたインサート金具に対しベースプレートを介したボルト定着、或いは埋設された鋼材に対し添接板を介した添接接合により着脱可能に備えられ、且つ下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭が着脱可能に備えられたプレキャストコンクリート側壁と、前記プレキャストコンクリート側壁間の上部側面であって、前記インサート金具又は鋼材の上部側埋設部を避けたその下部側に現場打設コンクリートによって構築された頂版部と、前記プレキャストコンクリート側壁間の下部側であって、前記インサート金具又は鋼材の下部側埋設部を避けたその上部側に現場打設コンクリートによって構築された床版部とからなることを特徴とする地下構造物が提供される。
【００３０】
請求項９に係る本発明として、下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を前記埋設されたインサート金具に対しベースプレートを介したボルト定着、或いは埋設された鋼材に対し添接板を介した添接接合により着脱可能に備えるプレキャストコンクリート側壁と、前記プレキャストコンクリート側壁間の下部側であって、前記インサート金具又は鋼材の下部側埋設部を避けたその上部側に現場打設コンクリートによって構築された床版部とからなることを特徴とする地下構造物が提供される。
【００３１】
請求項１０に係る本発明として、相隣接する前記プレキャストコンクリート側壁の対向側面において、一方のプレキャストコンクリート側壁の側面に埋設された一方側接合金具と、他方のプレキャストコンクリート側壁の側面に埋設された他方側接合金具との係合によって周囲から締め切られた空間が形成され、この締切り空間内において、プレキャストコンクリート側壁に部材長手方向に沿って対向する凹状溝が形成されるとともに、これら凹状溝間に跨って止水板が挿入設置され、前記締切り空間内にグラウト材が充填されている請求項８，９いずれかに記載の地下構造物が提供される。
【００３２】
請求項１１に係る本発明として、下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を着脱可能に備え、且つ上端面より所定深さに亘ってインサート金具又は鋼材を埋設した上部側埋設部が形成されるとともに、土水圧などの側方抵抗のために前記上端面から上方側に突出するように複数本の仮設鋼材を前記埋設されたインサート金具に対しベースプレートを介したボルト定着、或いは埋設された鋼材に対し添接板を介した添接接合により着脱可能に備えた側壁、中間壁又は中間柱を形成することを特徴とするプレキャストコンクリート部材が提供される。
【００３３】
請求項１２に係る本発明として、下端面より所定深さに亘ってインサート金具又は鋼材を埋設した下部側埋設部が形成されるとともに、鉛直支持力及び土水圧などの側方抵抗のために前記下端面から下方側に突出するように複数本の鋼杭を前記埋設されたインサート金具に対しベースプレートを介したボルト定着、或いは埋設された鋼材に対し添接板を介した添接接合により着脱可能に備えた側壁、中間壁又は中間柱を形成することを特徴とするプレキャストコンクリート部材が提供される。
【発明の効果】
【００３４】
以上詳説のとおり本発明によれば、土被りが大きい地下構造物において、側壁の建込み誤差が吸収できるとともに、工事に伴う地上占用規模及び期間が最小化でき、周辺環境への影響が必要最小限度に抑制でき、輸送及び現場作業が容易化でき、構造強度の確保が図れるようになる。
【図面の簡単な説明】
【００３５】
【図１】本発明に係る地下構造物１Ａを示す縦断面図である。
【図２】地下構造物１Ａの構築手順（その１）である。
【図３】埋設部２ａ、２ｂの構造を示す、(A)は側面側の縦断面図、(B)は正面側の縦断面図である。
【図４】他の形態例に係る埋設部２ａ、２ｂの構造を示す、(A)は側面側の縦断面図、(B)は正面側の縦断面図である。
【図５】プレキャストコンクリート側壁２、２同士の止水構造例を示す要部横断面図である。
【図６】地下構造物１Ａの構築手順（その２）である。
【図７】地下構造物１Ａの構築手順（その３）である。
【図８】地下構造物１Ａの構築手順（その４）である。
【図９】(A)は頂版３の構築前、(B)は構築後を示す、側壁２と頂版３との接合構造の縦断面図である。
【図１０】地下構造物１Ａの構築手順（その５）である。
【図１１】地下構造物１Ａの構築手順（その６）である。
【図１２】地下構造物１Ａの構築手順（その７）である。
【図１３】地下構造物１Ａの構築手順（その８）である。
【図１４】第２形態例に係る地下構造物１Ｂを示す縦断面図である。
【図１５】第３形態例に係る地下構造物１Ｃを示す縦断面図である。
【図１６】地下構造物１Ｃの構築手順（その１）である。
【図１７】地下構造物１Ｃの構築手順（その２）である。
【図１８】地下構造物１Ｃの構築手順（その３）である。
【図１９】地下構造物１Ｃの構築手順（その４）である。
【図２０】好適止水構造例に係るプレキャストコンクリート側壁２、２を示す、(A)は平面図、(B)は正面図、(C)は側面図である。
【図２１】そのXXI−XXI線矢視図である。
【図２２】建込み前のプレキャストコンクリート側壁２Ａ、２Ｂを示す連結部の拡大平面図である。
【図２３】止水板３４の据付状態を示す、(A)は平面図、(B)は図２１のXXIII−XXIII線矢視図である。
【図２４】プレキャストコンクリート側壁の施工手順（その１）を示すプレキャストコンクリート側壁の平面図である。
【図２５】プレキャストコンクリート側壁の施工手順（その２）を示すプレキャストコンクリート側壁の平面図である。
【図２６】プレキャストコンクリート側壁の施工手順（その３）を示すプレキャストコンクリート側壁の平面図である。
【図２７】プレキャストコンクリート側壁の施工手順（その４）を示すプレキャストコンクリート側壁の平面図である。
【図２８】プレキャストコンクリート側壁の施工手順（その５）を示すプレキャストコンクリート側壁の平面図である。
【図２９】プレキャストコンクリート側壁の施工手順（その６）を示すプレキャストコンクリート側壁の平面図である。
【図３０】従来の地下構造物の構築手順（その１）である。
【図３１】従来の地下構造物の構築手順（その２）である。
【図３２】側壁５１と頂版５３との接合構造を示す縦断面図である。
【発明を実施するための形態】
【００３６】
以下、本発明の実施の形態について図面を参照しながら詳述する。
〔第１形態例〕
図１〜図３において、地下構造物１Ａは、上端面より所定深さに亘ってインサート金具５又は鋼材６を埋設した上部側埋設部２ｂが形成されるとともに、頂版３の構築までの間、土水圧などの側方抵抗のために上方側に突出するように複数本の仮設鋼材２Ｂ、２Ｂ…が着脱可能に備えられ、且つ下端面より所定深さに亘ってインサート金具５又は鋼材６を埋設した下部側埋設部２ａが形成されるとともに、鉛直支持力及び土水圧などの側方抵抗のために下方側に突出するように複数本の鋼杭２Ａ、２Ａ…が着脱可能に備えられたプレキャストコンクリート側壁２と、前記プレキャストコンクリート側壁２、２間の上部側であって、前記インサート金具５又は鋼材６の上部側埋設部２ｂ、２ｂを避けたその下部側に現場打設コンクリートによって構築された頂版部３と、前記プレキャストコンクリート側壁２、２間の下部側であって、前記インサート金具５又は鋼材６の下部側埋設部２ａ、２ａを避けたその上部側に現場打設コンクリートによって構築された床版部４とからなるものである。
【００３７】
以下、具体的に前記地下構造物１Ａについて施工順序に従いながら詳述する。
（第１工程）
第１工程は、プレキャストコンクリート側壁２，２間に本体構造となる頂版部３を構築し、埋め戻すことにより頂版部以浅部分を先行的に完成させる工程である。この第１工程について、図２〜図１０に基づき詳述する。
【００３８】
先ず、図２に示されるように、側壁構築部位に、掘削重機を用いてプレキャストコンクリート側壁２の建込みのための掘削を行った後、プレキャストコンクリート側壁２を建て込む。前記プレキャストコンクリート側壁２は、図３及び図４に示されるように、上端面より所定深さに亘ってインサート金具５又は鋼材６を埋設した上部側埋設部２ｂが形成されるとともに、頂版部３の構築までの間、土水圧などの側方抵抗のために上方側に突出するように複数本の仮設鋼材２Ｂ、２Ｂ…が着脱可能に備えられ、且つ下端面より所定深さに亘ってインサート金具５又は鋼材６を埋設した下部側埋設部２ａが形成されるとともに、鉛直支持力及び土水圧などの側方抵抗のために下方側に突出するように複数本の鋼杭２Ａ、２Ａ…が着脱可能に備えられたものを使用する。また、前記プレキャストコンクリート側壁２は、少なくとも内壁面側に対して、フィルムを貼設するか、剥離材を塗布しておくことが望ましい。
【００３９】
前記プレキャストコンクリート側壁２と鋼杭２Ａ及び仮設鋼材２Ｂとは、図３に示されるように、プレキャストコンクリート側壁２の上端面及び下端面より所定深さに亘って埋設されたインサート金具５に対して、それぞれ鋼杭２Ａ及び仮設鋼材２Ｂの端部に備えられたベースプレート２Ｃを介してボルト定着するか、図４に示されるように、プレキャストコンクリート側壁２の上端面及び下端面より所定深さに亘って埋設されるとともに埋設側先端部に支圧板６ａやスタッド（図示せず）が設けられた鋼材６に対して、鋼杭２Ａを添接板２Ｄを介した添接接合することにより着脱可能に備えられている。
【００４０】
建込みに当たり、前記プレキャストコンクリート側壁２，２同士の接合面においては、所定の止水構造を設ける。例えば図５に示される止水構造としても良いが、後段で詳述する好適止水構造とすることが望ましい。図５に示される止水構造では、プレキャストコンクリート側壁２，２同士を繋ぐ雄・雌継手７を設けるようにするとともに、隣接位置に建込み用ガイドを兼用する脱抜可能のパイプ８を設けておく。前記雄・雌継手７及びパイプ８を建込み用ガイドとして使用することにより、精度良く各プレキャストコンクリート側壁２を建込みできるとともに、建込み後に前記パイプ８を引き抜いて、該孔部からグラウト注入を行うことにより接合面の止水を図ることができる。
【００４１】
以上の工程までを終えたならば、図６及び図７に示されるように、仮設鋼材２Ｂ、２Ｂの間及びプレキャストコンクリート側壁２、２間の地盤を掘削除去する。地盤の掘削に当たっては、図７に示されるように、必要に応じて仮設鋼材２Ｂ、２Ｂ間に切梁２０を架設する。掘削深さは、プレキャストコンクリート側壁２の頂部を露出させ、次工程の頂版部３を構築可能な程度とする。
【００４２】
掘削を終えたならば、図８に示されるように、プレキャストコンクリート側壁２、２間であって、前記インサート金具５又は鋼材６の上部側埋設部２ｂを避けたその下部側にコンクリートを打設するとともに、前記プレキャストコンクリート側壁２、２との結合及び一体化を図り、本体構造となる頂版部３を構築する。この頂版部３の構築方法は、例えば図９に示されるように、予めプレキャストコンクリート側壁２の上部側面であって、前記上部側埋設部２ｂを避けたその下部側位置に側壁部主鉄筋９、９…を配筋し、その先端部に機械式継手１０を設けておき、この機械式継手１０に対し頂版部主鉄筋１１の先端部に取り付けた機械式継手１２を接合して頂版部３の配筋を行った後、型枠を配設し、コンクリートを打設する。
【００４３】
前記頂版部３は、プレキャストコンクリート側壁２に対して、設計上、本体構造部分として考慮されないインサート金具の埋設部２ｂを避けたその下部側位置にコンクリート打設されるため、埋設部２ｂのインサート金具等の埋設による強度低下の影響を受けず、地下構造物１Ａの構造強度を確保することができるようになる。
【００４４】
以上、頂版部３を構築したならば、図１０に示されるように、仮設鋼材２Ｂ、２Ｂを固定するインサート金具５又は鋼材６とのボルト定着又は添接接合を解除して、埋戻しながら切梁２０を撤去し、最後に仮設鋼材２Ｂ、２Ｂを引き抜き、地上占用を開放する。
【００４５】
（第２工程）
上記第１工程により、頂版部３の以浅部分を先行的に完成させたならば、図１１に示されるように、前記プレキャストコンクリート側壁２、２及び頂版部３によって囲まれた頂版部３以深の地盤を掘削し、最終的に底版部４の構築深さまでの掘削を行う。図１２に示されるように、掘削は、必要に応じて切梁２２、２２によって支保を行い、掘削土砂の排出は、例えば前記頂版部３の一部を開口としておき、バケット（クレーン）により地上まで揚上し、ダンプトラック等により搬出するようにする。
【００４６】
（第３工程）
所定深さ（底版部４の構築深さ）までの掘削を終えたならば、図１３に示されるように、下端面より所定深さに亘って前記インサート金具５又は鋼材６を埋設した下部側埋設部２ａを避けたその上方側の底版部構築部位にコンクリートを打設するとともに、プレキャストコンクリート側壁２、２との結合及び一体化を図り、本体構造となる底版部４を構築する。底版部４とプレキャストコンクリート側壁２との結合は、例えば、プレキャストコンクリート側壁２の下部であって下部側埋設部２ａを避けたその上部側に底版部側に向けて鉄筋やロッド等の定着筋を延出しておき、底版部４に配筋される鉄筋と構造的に接続するようにする。この他、図９に示される機械式継手１０、１２による接合とすることもできる。
【００４７】
後は、最終仕上げとして、前記プレキャストコンクリート側壁２の内壁面側に対して、予めフィルムを貼設している場合には、これを剥がして綺麗なコンクリート面を露出させる。また、剥離剤が塗布されている場合にはジェットウォーターの噴射やブラシ清掃により泥水やソイルセメント等の汚れを落とすようにする。
【００４８】
〔第２形態例〕
上記形態例では、両側壁２、２間に頂版部３及び底版部４が架け渡される構造としたが、図１４に示されるように、両側壁２、２間をプレキャストコンクリート中間壁又は中間柱１３により仕切る地下構造物１Ｂとすることも可能である。構築手順は前述した第１形態例と基本的には同様であるが、施工ヤードがない場合などには、第１工程において左側の側壁２と中間壁１３との間の左側スパン部分の頂版部３の構築を先行して行い、左側の側壁２の仮設鋼材２Ｂのみを取り外して埋戻しを行った後、中間壁１３と右側の側壁２との間の右側スパン部分の掘削及び頂版部３の構築を行い、中間壁１３及び右側の側壁２の仮設鋼材２Ｂ、２Ｂを取り外して埋戻しを行う段階的な施工を行ってもよいし、施工ヤードがある場合などには、左側スパン部分及び右側スパン部分を同時に施工してもよい。
【００４９】
また、第３工程において、底版部４のコンクリート打設に当たって、プレキャストコンクリート中間壁又は中間柱１３の下端面を底版部下面よりも上側位置としておき、打設したコンクリートがプレキャストコンクリート中間壁又は中間柱１３を越えて他のスパンへ流動可能で、かつプレキャストコンクリート中間壁又は中間柱１３部でとぎれることなく連続して配筋可能とするのが望ましい。
【００５０】
〔第３形態例〕
上記第１形態例及び第２形態例では、プレキャストコンクリート側壁２、２の上部に頂版部３が構築される構造としたが、図１５に示されるように、頂版部を有さないＵ型擁壁構造とした地下構造物１Ｃとすることも可能である。
【００５１】
この地下構造物１Ｃは、下端面より所定深さに亘ってインサート金具５又は鋼材６を埋設した埋設部２ａが形成されるとともに、鉛直支持力及び土水圧などの側方抵抗のために下方側に突出するように複数本の鋼杭２Ａ、２Ａ…を着脱可能に備えるプレキャストコンクリート側壁２と、プレキャストコンクリート側壁２、２間の下部であって、前記埋設部２ａを避けたその上部側に設けられるとともに、現場打設コンクリートによって構築される床版４とから構成され、プレキャストコンクリート側壁２の上端面が地盤の表面とほぼ一致している。
【００５２】
構築方法は、前述した第１形態例と基本的に同様であるが、この場合は、プレキャストコンクリート側壁２の上端面より上方側に突出する仮設鋼材が不要であるとともに、頂版部３が不要である。したがって、図１６に示されるように、プレキャストコンクリート側壁２、２を建て込んだ後、図１７に示されるように、必要に応じてこの側壁２、２間を支保する切梁２３の座屈防止のための中間杭１４を打込む第１工程を行った後、図１８に示されるように、プレキャストコンクリート側壁２、２によって囲まれた地盤を掘削し、最終的に底版部４の構築深さまで掘削する第２工程を行う。第２工程を終えたならば、図１９に示されるように、インサート金具５又は鋼材６の埋込部２ａを避けたその上部側の底版部構築部位にコンクリートを打設するとともに、前記プレキャストコンクリート側壁２との結合及び一体化を図る第３工程を行い、切梁２３を取り外すとともに、底版４より上方に突出した中間杭１４部分をガス切断等により撤去する。
【００５３】
〔好適止水構造〕
前記プレキャストコンクリート側壁２，２同士の接合面においては、以下に詳述する止水構造を設けることが望ましい。
【００５４】
（プレキャストコンクリート側壁の構造）
前記プレキャストコンクリート側壁２の止水構造は、図２０〜図２２に示されるように、相隣接するプレキャストコンクリート側壁３０Ａ、３０Ｂの対向側面において、一方のプレキャストコンクリート側壁３０Ａの側面に埋設された一方側接合金具３１Ａと、他方のプレキャストコンクリート側壁３０Ｂの側面に埋設された他方側接合金具３１Ｂとの係合によって周囲から締め切られた空間３２が形成され、この締切り空間３２内において、プレキャストコンクリート側壁３０Ａ、３０Ｂに部材長手方向に沿って対向する凹状溝３３が形成されるとともに、これら凹状溝３３，３３間に跨って止水板３４が挿入設置され、前記締切り空間３２内にグラウト材３５が充填されてなるものである。
【００５５】
以下、具体的に詳述すると、
前記プレキャストコンクリート側壁２，２は、その連結面（対向側面）に、先行するプレキャストコンクリート側壁３０Ａに埋設される接合部材３１Ａと、後行するプレキャストコンクリート側壁３０Ｂに埋設される接合部材３１Ｂとを備えている。先行するプレキャストコンクリート側壁３０Ａに形成される接合部材３１Ａは、プレキャストコンクリート側壁３０Ａの側面において、内方側に臨むＬ字片とされ、このＬ字片が壁体の厚み方向に離間を空けて部材長手方向に沿って２条配置されるとともに、下端部で連結され、正面視で左辺、右辺及び下辺の三辺配置で埋設され、前記２条のＬ字片の間が窪み部３６とされる。また、後行するプレキャストコンクリート側壁３０Ｂに形成される接合部材３１Ｂは、プレキャストコンクリート側壁３０Ｂの側面において、外方側に臨むＬ字片とされ、このＬ字片が壁体の厚み方向に離間を空けて部材長手方向に沿って２条配置されるとともに、下端部で連結され、正面視で左辺、右辺及び下辺の三辺配置で埋設されている。
【００５６】
そして、上記プレキャストコンクリート側壁２、２を順次建て込んだ状態では、隣接するプレキャストコンクリート側壁２，２の接合部材３１Ａ、３１Ｂが係合することにより、周囲から締め切られた締切り空間３２が形成されるようになっている。
【００５７】
この締切り空間３２内においては、プレキャストコンクリート側壁２，２に、部材長手方向に沿って対向する凹状溝３３，３３が形成されている。この凹状溝３３は、好ましくは開口部で幅狭とした略台形断面とされ、底部及び両側部の表面が粗面仕上げ（ギザ面仕上げ）とされている。
【００５８】
前記凹状溝３３，３３間に跨って挿入設置された止水板３４は、図示例では板状部３４ａと、この板状部３４ａの両側端に固設された円筒部３４ｂ、３４ｂとからなり、前記円筒部３４ｂに鉄筋などの棒材が挿入されることにより自立するようになっている。素材は、ゴム材、合成樹脂材とすることができる。図２３(A)に示されるように、前記円筒部３４ｂには高さ方向に適宜の間隔でスペーサ３７が外嵌され、凹状溝３３，３３のほぼ中央に設置されるようになっている。
【００５９】
そして、前記接合金具３１Ａ、３１Ｂによって締め切られた締切り空間３２内にグラウト材３５が充填されることにより、グラウト材３５とプレキャストコンクリート側壁２，２との一体化を図るとともに、プレキャストコンクリート側壁２，２間の止水性に優れ、更に外力に対する抵抗力の高いプレキャストコンクリート側壁の止水構造が得られるようになる。
（プレキャストコンクリート側壁の施工方法）
次に、前記プレキャストコンクリート側壁の施工方法について、図２４〜図２９に基づいて詳述する。
【００６０】
先ず、図２４に示されるように、予め、先行するプレキャストコンクリート側壁３０Ａの凹状溝３３と、後行するプレキャストコンクリート側壁３０Ｂの凹状溝３３とには、それぞれ、内面側から該凹状溝３３の開口部３３ａを閉塞する断面略コ字状（両側壁が拡開している）の開口閉塞部材３８と、凹状溝３３内に挿入され空気圧入による膨張によって前記開口閉塞部材３８を凹状溝３３の開口部３３ａに保持するゴムチューブ３９とによって前記凹状溝３３を閉塞しておく。これによって、プレキャストコンクリート側壁２の据付時に、凹状溝３３内への土等の侵入を抑えることが可能となる。
【００６１】
そして、施工手順の第１工程として、図２４に示されるように、開口閉塞部材３８を凹状溝３３の開口部３３ａに保持した状態で、先行するプレキャストコンクリート側壁２を掘削溝内に建て込む。この場合、先行するプレキャストコンクリート側壁３０Ａの接合部材３１ＡのＬ字片の内側には、プレキャストコンクリート側壁２の据付時に土等が付着しないように、ベントナイト系固化材などの低強度固化体又は樹脂などの易破壊性材料からなる充填材４０を充填しておくことが好ましい。
【００６２】
次に、第２工程として、図２５に示されるように、開口閉塞部材３８を凹状溝３３の開口部３３ａに保持した状態で、先行するプレキャストコンクリート側壁３０Ａの接合部材３１Ａに、後行するプレキャストコンクリート側壁３０Ｂの接合部材３１Ｂを係合させながら、後行のプレキャストコンクリート側壁３０Ｂを建込む。プレキャストコンクリート側壁３０Ｂを建込み終えると、連結面（対向側面）には前記接合部材３１Ａ、３１Ｂによって周囲から締め切られた締切り空間３２が形成される。
【００６３】
第３工程として、図２６に示されるように、ゴムチューブ３９内の空気を抜いて、ゴムチューブ３９及び開口閉塞部材３８を凹状溝３３から撤去する。これによって、接合部材３１Ａ、３１Ｂの内側には、前記凹状溝３３、３３とともにグラウト材充填空間が形成されるようになる。
【００６４】
第４工程として、図２７に示されるように、水流噴射などによって締切り空間３２内を洗浄し、内部の土等を完全に除去する。ここで、前述の通り、プレキャストコンクリート側壁の据付時に、凹状溝３３には開口閉塞部材３８が備えられているため、粗面仕上げを施した凹状溝３３内には土等が殆ど侵入しておらず、かつ接合部材３１Ａ、３１Ｂによって周囲から締め切られ、安定材の浸入が防止されるため、洗浄作業が大幅に改善されるようになる。
【００６５】
次に、第５工程として、図２８に示されるように、前記凹状溝３３，３３間に跨って止水板３４を挿入設置する。
【００６６】
その後、第６工程として、図２９に示されるように、前記締切り空間３２内に、グラウト材３５を充填する。ここで、締切り空間３２にグラウト材３５を充填するには、締切り空間３２の下方側から徐々に充填していくのが望ましい。
【００６７】
〔他の形態例〕
(1)上記形態例では、プレキャストコンクリート側壁２、２間の頂版を構築する位置までの地盤を掘削除去した後、頂版４を構築するようにしたが、掘削部の開放が長期に亘る場合には、一旦、覆工版を設置して掘削部を塞ぎ、この覆工版と順次交換しながら、頂版４を構築するようにしてもよい。
(2)上記形態例においては、プレキャストコンクリート側壁２及びプレキャストコンクリート中間壁又は中間柱１３共に、下端面より下方側に突出するように複数本の鋼杭２Ａを備えるものを使用したが、前記鋼杭２Ａを無くし、全根入れ長をプレキャストコンクリート部材としてもよい。
【符号の説明】
【００６８】
１Ａ・１Ｂ・１Ｃ…地下構造物、２…プレキャストコンクリート側壁、２Ａ…鋼杭、２Ｂ…仮設鋼材、２ａ…下部側埋設部、２ｂ…上部側埋設部、３…頂版、４…底版、５…インサート金具、６…鋼材
【図１】
0005513867.tif 000002
【図２】
0005513867.tif 000003
【図３】
0005513867.tif 000004
【図４】
0005513867.tif 000005
【図５】
0005513867.tif 000006
【図６】
0005513867.tif 000007
【図７】
0005513867.tif 000008
【図８】
0005513867.tif 000009
【図９】
0005513867.tif 000010
【図１０】
0005513867.tif 000011
【図１１】
0005513867.tif 000012
【図１２】
0005513867.tif 000013
【図１３】
0005513867.tif 000014
【図１４】
0005513867.tif 000015
【図１５】
0005513867.tif 000016
【図１６】
0005513867.tif 000017
【図１７】
0005513867.tif 000018
【図１８】
0005513867.tif 000019
【図１９】
0005513867.tif 000020
【図２０】
0005513867.tif 000021
【図２１】
0005513867.tif 000022
【図２２】
0005513867.tif 000023
【図２３】
0005513867.tif 000024
【図２４】
0005513867.tif 000025
【図２５】
0005513867.tif 000026
【図２６】
0005513867.tif 000027
【図２７】
0005513867.tif 000028
【図２８】
0005513867.tif 000029
【図２９】
0005513867.tif 000030
【図３０】
0005513867.tif 000031
【図３１】
0005513867.tif 000032
【図３２】
0005513867.tif 000033